(57)【要約】  洗剤が含有された洗濯水をタブの内部に給水し、高濃度の洗濯を進行する段階と；高濃度洗濯段階の進行以前または以後に、ドラムの内部にスチームを提供する段階と；を含む洗濯装置の洗濯方法を構成し、少量の洗濯水消費及び低い電力消費で洗濯物の洗濯行程を行えると共に、洗濯物の殺菌を行える新しい洗濯装置の洗濯方法を提供する。【選択図】図５
2008534049.tif 000002
【特許請求の範囲】
【請求項１】
洗剤が含有された洗濯水をタブの内部に給水し、高濃度の洗濯を進行する段階と；
前記高濃度洗濯段階の進行以前または以後に、ドラムの内部にスチームを提供する段階と；
を含むことを特徴とする、洗濯装置の洗濯方法。
【請求項２】
前記洗濯の進行中に、洗濯物の布濡らし段階と、前記タブの内部に給水された洗濯水をドラムの内部に循環させる段階とを同時に行うことを特徴とする、請求項１に記載の洗濯装置の洗濯方法。
【請求項３】
前記洗濯の進行中に、洗濯物の布濡らし段階と、前記タブの内部に給水された洗濯水をドラムの内部に循環させる段階と、ドラムの内部にスチームを提供する段階と、を同時に行うことを特徴とする、請求項１に記載の洗濯装置の洗濯方法。
【請求項４】
高濃度洗濯段階の進行と同時に、ドラムの内部にスチームを提供することを特徴とする、請求項１に記載の洗濯装置の洗濯方法。
【請求項５】
高濃度洗濯段階を行い、追加給水することで、希釈された洗濯水で再び洗濯を行う段階を含むことを特徴とする、請求項１に記載の洗濯装置の洗濯方法。
【請求項６】
前記洗濯の進行中に、洗濯物の布濡らし段階を含み、布濡らし段階の進行途中にドラムを駆動させることで、布濡らしが一層円滑に行われるように制御することを特徴とする、請求項１に記載の洗濯装置の洗濯方法。
【請求項７】
高濃度洗濯は、ドラム内部の温度が設定温度以上である場合、その動作が行われるように制御することを特徴とする、請求項１に記載の洗濯装置の洗濯方法。
【請求項８】
高濃度洗濯段階で、給水される洗濯水の水位は、洗濯物の布量によって予め設定された洗濯水の水位に比べて低い水位であり、ドラムの底部側表面に比べて高い水位であることを特徴とする、請求項１に記載の洗濯装置の洗濯方法。
【請求項９】
前記ドラムの内部にスチームを提供する段階は、ドラム内部の温度が設定温度範囲になるように設定時間の間持続的に進行されることを特徴とする、請求項１に記載の洗濯装置の洗濯方法。
【請求項１０】
前記設定温度範囲及び設定時間は、
殺菌が可能な温度範囲、及び殺菌を行える程度の時間であることを特徴とする、請求項９に記載の洗濯装置の洗濯方法。
【請求項１１】
前記各段階の進行中に、タブ内部への洗濯水の追加給水が必要であるかどうかを判断するための水位感知を、ドラム駆動のためのモータと洗濯水の循環のための循環ポンプのオフ区間で実施することを特徴とする、請求項１に記載の洗濯装置の洗濯方法。
【請求項１２】
水位感知結果によって追加給水が必要であると判断される場合、予め設定された水位にまで再び給水し、
設定水位は、布量によって異なるように設定されるか、布量と関係なしに洗濯が可能な最小量に設定されることを特徴とする、請求項１１に記載の洗濯装置の洗濯方法。
【請求項１３】
ドラム回転のためのモータと洗濯水の循環のための循環ポンプの駆動時に、ドラムモータのオン時点と循環ポンプのオン時点とを一致させることを特徴とする、請求項１１に記載の洗濯装置の洗濯方法。
【請求項１４】
ドラムモータのオフ時点と循環ポンプのオフ時点とを一致させることを特徴とする、請求項１１に記載の洗濯装置の洗濯方法。
【請求項１５】
ドラムの内部にスチームを提供する段階で、ドラム回転のためのモータと洗濯水の循環のための循環ポンプの実動率を一致させて駆動することを特徴とする、請求項１に記載の洗濯装置の洗濯方法。
【請求項１６】
高濃度の洗濯を進行する段階で、ドラム回転のためのモータと洗濯水の循環のための循環ポンプの実動率を一致させないことを特徴とする、請求項１に記載の洗濯装置の洗濯方法。
【発明の詳細な説明】
【技術分野】
【０００１】
本発明は、洗濯装置に関し、より詳細には、少量の洗濯水消費及び低い電力消費で洗濯物の洗濯行程を行えると共に、洗濯物の殺菌を行える新しい洗濯装置の洗濯方法に関する。
【背景技術】
【０００２】
一般的に、洗濯機は、ドラムが垂直方向に設置されたパルセーター式洗濯機と、ドラムが水平方向に設置されたドラム洗濯機とに大きく区分される。
【０００３】
ここで、ドラム洗濯機は、上述したようにドラムが水平方向に設置されるので、ドラムの内部に投入された洗濯物の洗濯が上昇・落下方式で行われる。
【０００４】
図１及び図２は、上述したドラム洗濯機の従来構造を概略的に示した図である。
【０００５】
すなわち、ドラム洗濯機は、本体１０と、本体１０の内部に装着されたタブ２０と、タブ２０の内部に回転可能に装着されたドラム３０と、ドラム３０を駆動させる駆動手段とを含んで構成される。
【０００６】
ここで、本体１０の前面には、洗濯物が投入される投入口１１が形成され、投入口１１の周辺部位には、投入口１１を開閉するドア４０が装着される。
【０００７】
さらに、投入口１１の内側周りには、ドア４０と投入口１１との間を密閉するためのリム部５０が備わる。
【０００８】
そして、タブ２０は、その外側周面の両側底部にダンパ２１が備わり、このダンパ２１によって本体１０内で支持された状態となる。
【０００９】
このとき、タブ２０内部の底部側空間上には、洗濯水を加熱するための洗濯水用ヒータ６０が備わる。
【００１０】
また、駆動手段は、ドラム３０を駆動させる駆動モータ７１と、駆動モータ７１の駆動力をドラム３０に伝達するために連結されたベルト７２とを含んで構成される。
【発明の開示】
【発明が解決しようとする課題】
【００１１】
しかしながら、上述した従来の洗濯機においては、少量の洗濯物及び汚染程度の少ない洗濯物を洗濯する場合にも、不要に多量の洗濯水が消費されるとともに、その過程も一般的な洗濯過程とほぼ同じ時間で行われるので、電力の消費が不要に大きくなるという問題点を有する。
【００１２】
特に、洗濯を行う前に浸し過程を行うと、洗濯性能に一層効果的であるが、浸し過程では洗濯水の消費量が非常に大きいので、通常の洗濯行程では浸し過程が省略されており、その結果、最上の洗濯性能を得られないという問題点を有する。
【００１３】
また、従来の洗濯行程では、洗濯物を殺菌するための行程が別途に存在していない。
【００１４】
もちろん、図示していないが、最近は、洗濯水を加熱する別途の洗濯水用ヒータが洗濯機内に備わり、蒸し洗濯が可能になった構造もあるが、単純に蒸し行程のみによって洗濯物の殺菌が行われたので、蒸し行程に要される洗濯水及び電力消費量の増加によって消費者たちに好まれていない。
【００１５】
また、洗濯水の給水のための水位感知の正確度が高くないので、不必要な再給水による水の浪費が発生するという問題点を有する。
【００１６】
したがって、少量の洗濯水消費及び低い電力消費でも洗濯物の殺菌を行える新しい行程が要求されている。
【００１７】
本発明は、上記のような従来技術の洗濯装置の問題点を解決するためのもので、その目的は、少量の洗濯水消費及び低い電力消費で洗濯物の洗濯行程を行えると共に、洗濯物の殺菌を行える新しい洗濯装置の洗濯方法を提供することにある。
【００１８】
本発明の他の目的、特性及び利点は、以下の実施例の詳細な説明を通して明らかになるだろう。
【課題を解決するための手段】
【００１９】
上記の目的を達成するための本発明に係る洗濯装置の洗濯方法は、洗剤が含有された洗濯水をタブの内部に給水し、高濃度の洗濯を進行する段階と；高濃度洗濯段階の進行以前または以後に、ドラムの内部にスチームを提供する段階と；を含むことを特徴とする。
【００２０】
ここで、洗濯の進行中に、洗濯物の布濡らし段階と、タブの内部に給水された洗濯水をドラムの内部に循環させる段階とを同時に行うことが好ましい。
【００２１】
ここで、洗濯の進行中に、洗濯物の布濡らし段階と、タブの内部に給水された洗濯水をドラムの内部に循環させる段階と、ドラムの内部にスチームを提供する段階とを同時に行うことが好ましい。
【００２２】
そして、高濃度洗濯段階の進行と同時に、ドラムの内部にスチームを提供することを特徴とする。
【００２３】
そして、高濃度洗濯段階を行い、追加給水することで、希釈された洗濯水で再び洗濯を行う段階を含むことを特徴とする。
【００２４】
そして、洗濯の進行中に、洗濯物の布濡らし段階を含み、布濡らし段階の進行途中にドラムを駆動させることで、布濡らしが一層円滑に行われるように制御することが好ましい。
【００２５】
そして、高濃度洗濯は、ドラム内部の温度が設定温度以上である場合、その動作が行われるように制御することを特徴とする。
【００２６】
そして、高濃度洗濯段階で、給水される水位は、洗濯物の布量によって予め設定された洗濯水の水位に比べて低い水位であり、ドラムの底部側表面に比べて高い水位であることを特徴とする。
【００２７】
そして、ドラムの内部にスチームを提供する段階は、ドラム内部の温度が設定温度範囲になるように設定時間の間持続的に進行されることを特徴とする。
【００２８】
ここで、設定温度範囲及び設定時間は、殺菌が可能な温度範囲、及び殺菌を行える程度の時間であることを特徴とする。
【００２９】
そして、各段階の進行中に、タブ内部への洗濯水の追加給水が必要であるかどうかを判断するための水位感知を、ドラム駆動のためのモータと洗濯水の循環のための循環ポンプのオフ区間で実施することを特徴とする。
【００３０】
そして、水位感知結果によって追加給水が必要であると判断される場合、予め設定された水位にまで再び給水し、設定水位は、布量によって異なるように設定されるか、布量と関係なしに洗濯が可能な最小量に設定されることを特徴とする。
【００３１】
そして、ドラム回転のためのモータと洗濯水の循環のための循環ポンプの駆動時に、ドラムモータのオン時点と循環ポンプのオン時点とを一致させることを特徴とする。
【００３２】
そして、ドラムモータのオフ時点と循環ポンプのオフ時点とを一致させることを特徴とする。
【００３３】
そして、ドラムの内部にスチームを提供する段階で、ドラム回転のためのモータと洗濯水の循環のための循環ポンプの実動率を一致させて駆動することを特徴とする。
【００３４】
そして、高濃度の洗濯を進行する段階で、ドラム回転のためのモータと洗濯水の循環のための循環ポンプの実動率を一致させないことを特徴とする。
【発明の効果】
【００３５】
本発明の実施例に係る洗濯装置の洗濯方法は、少量の洗濯水消費及び低い電力消費で洗濯物の洗濯行程を行えるという効果を有する。
【００３６】
特に、本発明の洗濯方法は、高温のスチームを用いて洗濯物の殺菌を行うことで、洗濯性能を向上させると共に、殺菌効果も得られるという効果を有する。
【００３７】
また、本発明の洗濯方法は、高濃縮状態の洗剤を用いた洗濯を１次的に行った後、希釈洗濯を行うことで、洗濯性能を一層向上できるという効果を有する。
【００３８】
特に、水位変化が安定化される区間、すなわち、循環ポンプ及びドラムモータのオフ区間でタブ内の水位を感知することで、追加給水量を正確に制御できるので、使用される洗濯水量を最小化すると同時に、洗濯性能を最適化することができる。
【００３９】
そして、本発明に係る洗濯行程時、ドラムモータと一緒に循環ポンプを適切に駆動することで、洗濯効果を倍化させることができる。その結果、洗濯性能に対する消費者の満足度を一層向上させることができる。
【発明を実施するための最良の形態】
【００４０】
以下、本発明の好適な実施例に係る洗濯装置の洗濯方法を具体的に説明する。
【００４１】
図３は、本発明の実施例に係る洗濯装置の内部構造を説明するための側断面図で、図４は、本発明の実施例に係る洗濯装置の内部構造を説明するための正断面図である。
【００４２】
まず、本発明の好適な実施例に係る洗濯装置は、本体１１０、タブ１２０、ドラム１３０、スチーム供給部、温度センサ１５０、循環ポンプ１６０、及び循環流路１７０を含んで構成され、この実施例では、ドラム洗濯機が適用される。
【００４３】
ここで、本体１１０は、ドラム洗濯機の外観をなすもので、その前面には投入口１１１が形成される。
【００４４】
このとき、本体１１０の投入口１１１には、投入口１１１を開閉するドア１４０が装着され、投入口１１１の内側周面には、ドア１４０と投入口１１１との間を密閉するためのリム部１１２が装着される。
【００４５】
また、本体１１０には、タブ１２０の内部に洗濯水を供給する洗濯水供給管１１３が備わり、洗濯水供給管１１３の管路上には、洗剤ボックス１１４が備わる。
【００４６】
そして、タブ１２０は、本体１１０内で支持された状態となる。
【００４７】
このとき、タブ１２０の下端には、洗濯水を排水するための排水流路１２１が連結される。
【００４８】
また、タブ１２０内部の下端部位には、タブ１２０内に給水された洗濯水を加熱する洗濯水用ヒータ１２２がさらに備わる。
【００４９】
そして、ドラム１３０は、タブ１２０の内部に回転可能に設置され、本体１１０の投入口１１１に向かって開口側が位置するように装着される。
【００５０】
このとき、ドラム１３０の周面には多数の通孔１３１が形成され、これら通孔１３１を通して、タブ１２０内に供給される洗濯水及びスチームがドラム１３０の内部に流入するようになる。
【００５１】
そして、スチーム供給部は、タブ１２０及び／またはドラム１３０の内部に所定量のスチームを提供するためのもので、少なくとも一つ以上が備わる。
【００５２】
スチーム供給部は、高温の熱気で水を蒸気化し、タブ１２０及び／またはドラム１３０内にスチームを提供するもので、高温の熱気を提供して水を蒸気化する発熱部２１０と、発熱部２１０によって蒸気化されたスチームが流れるスチーム供給管２２０とを含んで構成される。
【００５３】
また、スチーム供給部は、スチーム供給管２２０を通して流れるスチームをタブ１２０及び／またはドラム１３０の内部に発散する噴射ノズル２３０をさらに含んで構成される。
【００５４】
このとき、噴射ノズル２３０は、スチームを円滑に発散できるようにノズルの形状で構成され、スチームが吐出される噴射ノズル２３０の終端は、ドラム１３０の内部に向かうようにリム部１１２を貫通して設置されることが好ましい。
【００５５】
そして、温度センサ１５０は、タブ１２０内の何れか一つの部位に備わり、タブ１２０内部の温度をセンシングする役割をする。
【００５６】
このとき、温度センサ１５０によってセンシングされる温度は、スチーム供給部の動作制御のために用いられる。
【００５７】
特に、温度センサ１５０は、その正確な温度をセンシングするために、スチーム供給部によってタブ１２０の内部に提供されるスチームに直接的な影響を受けないように構成されることが好ましい。
【００５８】
これにしたがって、温度センサ１５０の周り側のうちのスチームの噴射方向と対向する側及び上部周り側には、別途のカバー１５１が備わることが好ましい。
【００５９】
図面では、温度センサ１５０がタブ１２０の略中央側部位に備わることを示しているが、通常、温度センサ１５０は、タブ１２０内の底部側空間である洗濯水用ヒータ１２２の設置部位に備わることもある。
【００６０】
そして、循環ポンプ１６０は、タブ１２０に連結された排水流路１２１上に備わり、タブ１２０の内部に給水された洗濯水をポンピングし、ポンピングされた洗濯水を循環させるように動作する。
【００６１】
そして、循環流路１７０は、循環ポンプ１６０に連結され、循環ポンプ１６０によってポンピングされた洗濯水の循環を案内する。
【００６２】
このとき、循環流路１７０の終端である洗濯水の吐出側は、リム部１１２を貫通してドラム１３０の内側壁面に向かうように設置される。
【００６３】
特に、本実施例において、循環流路１７０の終端は、図面に示すように、スチーム供給管２２０に連結されることが一層好ましい。
【００６４】
以下、本発明の好適な実施例に係る洗濯方法を説明する。
【００６５】
図５は、本発明の実施例に係る洗濯装置の洗濯方法を説明するためのフローチャートで、図６は、本発明の他の実施例に係る洗濯装置の洗濯方法を説明するためのフローチャートである。
【００６６】
そして、図７乃至図９は、本発明の実施例に係る洗濯装置の洗濯方法を説明するための状態図である。
【００６７】
まず、使用者によって洗濯遂行が要請されると、洗濯装置を構成するコントローラ（図示せず）は、タブ１２０の内部に洗濯水を給水する（Ｓ５１０）。
【００６８】
このとき、洗濯水は、洗濯水供給管１１３を通して給水される途中、洗濯水供給管１１３の管路上に備わった洗剤ボックス１１４を通過する。
【００６９】
洗剤ボックス１１４内に所定量の洗剤が収納された状態であるので、タブ１２０の内部に給水される洗濯水には、洗剤ボックス１１４内に保存された洗剤が含有される。
【００７０】
特に、上述した洗濯水の給水過程では、洗濯水は、高濃縮状態になるように制御される。
【００７１】
上記のような状態は、図７に示すように、給水される洗濯水の水位が、洗濯物の布量によって予め設定された洗濯水の水位に比べて低い水位で、ドラム１３０の底部側表面に比べて高い水位、特に洗濯水用ヒータ２２が浸される程度の水位であるときに達成可能となる。
【００７２】
このとき、給水される洗濯水の水位は、ドラム１３０の底部側表面が浸される程度、すなわち、ドラム１３０内の洗濯物が濡れる程度の水位（“第１水位”）であることが最も好ましい。
【００７３】
そして、上述した給水過程が完了されると、ドラム１３０を駆動させることで、給水された高濃縮状態の洗濯水で洗濯（以下、“高濃縮洗濯”という）を進行する（Ｓ５２０）。
【００７４】
高濃縮洗濯は、洗濯効果を極大化させるための一連の過程である。
【００７５】
すなわち、洗濯性能を左右する最大要因の一つである洗剤は、その濃縮程度が高いほど洗濯性能を向上させるが、この点を考慮すると、上述した高濃縮洗濯によって優れた洗濯性能を得ることができる。
【００７６】
このとき、ドラム１３０の駆動を通した高濃縮洗濯の進行過程は、上述した洗濯水の給水過程と同時に進行されるように制御することもできる。
【００７７】
また、タブ１２０内部の洗濯水は、循環ポンプ１６０の制御を通してポンピングされ、循環流路１７０を通して再びドラム１３０の内部に循環されるように制御する（Ｓ５３０）ことが一層好ましい。
【００７８】
上記のように制御する理由は、高濃縮洗濯の進行途中、ドラム１３０内部の洗濯物に向かって高濃縮状態の洗濯水を噴射させることで、洗濯物全体の洗濯を均一に行えるようにするためである。
【００７９】
もちろん、洗濯水の循環過程も、洗濯水の給水過程と同時に進行されるように制御するか、または、洗濯水の給水過程、高濃縮洗濯過程及び洗濯水の循環過程の全てが同時に進行されるように制御する。
【００８０】
一方、上述した高濃縮洗濯の進行途中に、スチーム供給部の制御を通してドラム１３０内部に高温のスチームを噴射することで、ドラム１３０内部の温度が、洗濯性能に最も効果的な温度になるように制御することもできる。
【００８１】
すなわち、高温のスチームを用いて、ドラム内部の温度が、洗剤の活性化による最も効率的な洗濯性能を得られる温度（約４０〜６０℃）になることで、洗濯効果を向上させることができる。
【００８２】
もちろん、スチームの提供過程は、洗濯水の給水過程と同時に進行されるように制御するか、洗濯水の循環過程と同時に進行されるように制御するか、または、各過程が全て同時に進行されるように制御する。
【００８３】
そして、上述した高濃縮洗濯が設定時間の間進行されると、スチーム供給部の制御を通してドラム１３０の内部に高温のスチームを噴射する（Ｓ５４０）。
【００８４】
このとき、高温のスチームを噴射する理由は、ドラム１３０内部の温度を殺菌温度に至るまで上昇させることで、洗濯物に含有された各種細菌の殺菌を行えるようにするためである。
【００８５】
もちろん、ドラム１３０を持続的に駆動させることで、高濃縮状態の殺菌洗濯を継続的に進行する（Ｓ５５０）。この状態は、図８に示す通りである。
【００８６】
特に、上述したスチームの噴射過程は、高濃縮殺菌洗濯が進行される間に持続的に行われるように制御することもできるが、この場合、ドラム１３０の内部に提供される蒸気の量が過度に多くなるか、または、ドラム１３０内部の温度が過度に上昇することになり、電力浪費を引き起こすという問題点が発生する。
【００８７】
そのため、スチームの噴射過程は、設定温度範囲で設定時間の間のみに進行されるように制御することが最も好ましい。
【００８８】
このとき、設定温度範囲は、上述したように、細菌の殺菌が可能な温度範囲であり、設定時間は、殺菌が可能な時間として最大限に優れた殺菌効果を得られる程度の時間である。
【００８９】
また、スチームの噴射が設定温度範囲で設定時間の間のみに進行されるように制御する方法は、スチーム供給部の動作及び動作中断を繰り返すように制御することで行われる。
【００９０】
すなわち、発熱部２１０の発熱制御のための電力供給を選択的にオン・オフにすることで、ドラム１３０内部の温度が設定温度範囲に維持される。
【００９１】
このとき、温度の確認は、温度センサ１５０によってセンシングされた信号の判読を通して行われる。
【００９２】
したがって、上述した一連の過程によって、高濃縮洗濯と殺菌洗濯が順次行われる。
【００９３】
そして、上述した一連の過程によって高濃縮洗濯及び殺菌洗濯過程が完了されると、タブ１２０の内部に洗濯水を追加給水する（Ｓ５６０）。
【００９４】
このとき、タブ１２０の内部に給水される洗濯水には洗剤が含まれておらず、追加給水される洗濯水は、洗濯物の布量によって予め設定された水位（“第２水位”）に至るまで給水される。この状態は、図９に示す通りである。
【００９５】
上記のような過程は、洗濯物に含有された高濃縮状態の洗剤を希釈させることで、高濃縮状態の洗剤との長い反応による洗濯物の変質などを防止するとともに、洗濯物に含有された高濃縮状態の洗剤を洗い落とすための過程である。
【００９６】
また、上述した過程では、ドラム１３０は、継続的に駆動されるように制御される。
【００９７】
したがって、高濃縮状態の洗剤が洗濯物から一層円滑に除去されながら、希釈洗濯が進行される（Ｓ５７０）。
【００９８】
特に、高濃縮洗剤には、洗濯物から分離された各種の汚染物質が含有された状態であるが、この点を考慮すると、各種の汚染物質も洗濯物から円滑に除去される。
【００９９】
一方、洗濯水の追加給水を通した希釈洗濯過程で、追加給水される洗濯水の温度が約３０℃以下であることを考慮すると、既存の洗濯水との混合によって、洗濯水全体の温度は、洗濯性能向上に好ましい温度、例えば４０℃以下に低下する。
【０１００】
したがって、洗濯水の追加給水を通した希釈洗濯過程では、タブ１２０内の洗濯水用ヒータ１２２を発熱させてタブ１２０内の洗濯水を加熱することで、洗濯水全体の温度を約４０℃以上に維持することが最も好ましい。
【０１０１】
もちろん、洗濯水を直接加熱せずに、ドラム１３０の内部に高温のスチームを噴射することで、ドラム１３０内部の温度が、洗濯性能を向上できる程度の温度になるように制御することもできる。
【０１０２】
特に、上記のような一連の過程、すなわち、洗濯水の追加給水を通した希釈洗濯過程が進行されるときは、循環ポンプ１６０の制御を通してタブ１２０内部の洗濯水をポンピングし、ポンピングされた洗濯水が循環流路１７０を通して再びドラム１３０の内部に循環されるように制御することが一層好ましい。
【０１０３】
上記のように制御する理由は、洗濯物に含有された高濃縮状態の洗剤が一層円滑に除去されるとともに、洗濯物全体が均一に洗濯されるようにするためである。
【０１０４】
結局、上述した希釈洗濯過程が所定時間の間進行されると、洗濯物に対する洗濯行程が完了され、洗濯水用ヒータ１２２の発熱、循環ポンプ１６０の駆動及びドラム１３０の駆動が停止される。
【０１０５】
そして、上述した一連の洗濯行程が完了されると、タブ１２０内部の洗濯水は、排水流路１２１を通して排水され、引き続いて、新しい洗濯水の給水による少なくとも１回以上の濯ぎ行程が進行される。
【０１０６】
もちろん、洗濯水の排水後、濯ぎ行程を行う前には、ドラム１３０を高速回転させて洗濯物を脱水する一連の過程をさらに含むことが好ましい。
【０１０７】
以下、本発明の他の実施例に係る洗濯装置の洗濯方法を具体的に説明する。
【０１０８】
図６に示すように、まず、使用者によって洗濯遂行が要請されると、洗濯装置を構成するコントローラ（図示せず）は、スチーム供給部を制御することで、ドラム１３０の内部に高温のスチームを提供する（Ｓ６１０）。
【０１０９】
結果的に、ドラム１３０内の洗濯物には、高温のスチームによって布濡らしが行われるとともに、ドラム１３０内部の温度は、洗濯性能向上に最も効果的な温度に至るようになる。
【０１１０】
すなわち、高温のスチームを用いて、ドラム１３０内部の温度が、洗剤の活性化による最も効率的な洗濯性能を得られる温度になることで、洗濯効果を向上させることができる。
【０１１１】
このとき、温度は、４０℃以上、好ましくは４０〜８０℃の温度である。
【０１１２】
また、上記のようにドラム１３０の内部にスチームが提供される過程では、ドラム１３０が駆動されるように制御することで、ドラム１３０の内部に収容された洗濯物の布濡らしを全体的に均一に行えるようにすることが好ましい。この状態は、図８に示す通りである。
【０１１３】
そして、上述した一連の過程によってドラム１３０内部の温度が高温になると、コントローラは、タブ１２０の内部に洗濯水を給水する（Ｓ６２０）ように制御する。
【０１１４】
このとき、洗濯水は、洗濯水供給管１１３を通して給水される途中、洗濯水供給管１１３の管路上に備わった洗剤ボックス１１４を通過するようになり、洗剤ボックス１１４内に所定量の洗剤が収納された状態であるので、タブ１２０の内部に給水される洗濯水には、洗剤ボックス１１４内に保存された洗剤が含有される。
【０１１５】
特に、上述した洗濯水の給水過程では、洗濯水は、高濃縮状態になるように制御される。
【０１１６】
上記のような状態は、図７に示すように、給水される洗濯水の水位が、洗濯物の布量によって予め設定された洗濯水の水位に比べて低い水位で、ドラム１３０の底部側表面に比べて高い水位、特に洗濯水用ヒータ２２が浸される程度の水位であるときに達成可能となる。
【０１１７】
このとき、給水される洗濯水の水位は、ドラム１３０の底部側表面が浸される程度、すなわち、ドラム１３０内の洗濯物が濡れる程度の水位（“第１水位”）であることが最も好ましい。
【０１１８】
そして、上述した給水過程が完了されると、ドラム１３０を駆動させることで、給水された高濃縮状態の洗濯水で洗濯（以下、“高濃縮洗濯”という）を進行する（Ｓ６３０）。
【０１１９】
高濃縮洗濯は、洗濯効果を極大化させるための一連の過程である。
【０１２０】
すなわち、洗濯性能を左右する最大要因の一つである洗剤は、その濃縮程度が高いほど洗濯性能が向上するが、この点を考慮すると、上述した高濃縮洗濯によって優れた洗濯性能を得ることができる。
【０１２１】
このとき、ドラム１３０の駆動を通した高濃縮洗濯の進行過程は、上述した洗濯水の給水過程と同時に進行されるように制御することもできる。
【０１２２】
また、循環ポンプ１６０の制御を通してタブ１２０内部の洗濯水をポンピングし、ポンピングされた洗濯水が循環流路１７０を通して再びドラム１３０の内部に循環されるように制御する（Ｓ６４０）ことが一層好ましい。
【０１２３】
上記のように制御する理由は、高濃縮洗濯の進行途中、ドラム１３０内部の洗濯物に向かって高濃縮状態の洗濯水を噴射させることで、洗濯物全体の均一な洗濯を行えるようにするためである。
【０１２４】
もちろん、上述した洗濯水の循環過程も、洗濯水の給水過程と同時に進行されるように制御するか、または、洗濯水の給水過程、高濃縮洗濯過程及び洗濯水の循環過程の全てが同時に進行されるように制御する。
【０１２５】
結局、上述した一連の過程によって高温の温度で高濃縮洗濯が行われることで、ドラム１３０内の洗濯物は、最大限の洗濯性能を得ることができる。
【０１２６】
そして、上述した高濃縮洗濯が設定時間の間進行されると、タブ１２０の内部に洗濯水が追加給水される（Ｓ６５０）ように制御される。
【０１２７】
このとき、タブ１２０の内部に給水される洗濯水には洗剤が含まれておらず、追加給水される洗濯水は、洗濯物の布量によって予め設定された水位（“第２水位”）に至るまで給水される。この状態は、図９に示す通りである。
【０１２８】
上記のような過程は、洗濯物に含有された高濃縮状態の洗剤を希釈させることで、高濃縮状態の洗剤との長い反応による洗濯物の変質などを防止するとともに、洗濯物に含有された高濃縮状態の洗剤を洗い落とすための過程である。
【０１２９】
また、上述した過程では、ドラム１３０は、継続的に駆動されるように制御される。
【０１３０】
したがって、高濃縮状態の洗剤が洗濯物から一層円滑に除去されながら、希釈洗濯が進行される（Ｓ５７０）。
【０１３１】
特に、高濃縮洗剤には、洗濯物から分離された各種の汚染物質が含有された状態であるが、この点を考慮すると、上述した希釈洗濯によって各種の汚染物質も洗濯物から円滑に除去される。
【０１３２】
一方、洗濯水の追加給水を通した希釈洗濯過程では、追加給水される洗濯水の温度が約３０℃以下であることを考慮すると、既存の洗濯水との混合によって、洗濯水全体の温度が、洗濯性能向上に好ましい温度（例えば４０℃）以下に低下しうる。
【０１３３】
したがって、洗濯水の追加給水を通した希釈洗濯過程では、タブ１２０内の洗濯水用ヒータ１２２を発熱させてタブ１２０内の洗濯水を加熱することで、洗濯水全体の温度を約４０℃以上に維持することが最も好ましい。
【０１３４】
もちろん、洗濯水を直接加熱せずに、ドラム１３０の内部に高温のスチームを噴射することで、ドラム１３０内部の温度が、洗濯性能を向上できる程度の温度になるように制御することもできる。
【０１３５】
このとき、洗濯水を加熱する過程は、洗濯水の追加給水が進行される途中に行われるように制御するか、追加給水が完了された後、希釈洗濯が進行される前に行われるように制御するか、または、希釈洗濯が進行される途中に行われるように制御する。
【０１３６】
特に、上記のような一連の過程、すなわち、洗濯水の追加給水を通した希釈洗濯過程が進行されるときは、循環ポンプ１６０の制御を通してタブ１２０内部の洗濯水をポンピングし、ポンピングされた洗濯水が循環流路１７０を通して再びドラム１３０の内部に循環されるように制御することが一層好ましい。
【０１３７】
上記のように制御する理由は、洗濯物に含有された高濃縮状態の洗剤が一層円滑に除去されるとともに、洗濯物全体が均一に洗濯されるようにするためである。
【０１３８】
結局、上述した希釈洗濯過程が所定時間の間進行されると、洗濯物に対する洗濯行程が完了され、洗濯水用ヒータ１２２の発熱、循環ポンプ１６０の駆動及びドラム１３０の駆動が停止される。
【０１３９】
そして、上述した一連の洗濯行程が完了されると、タブ１２０内部の洗濯水は、排水流路１２１を通して排水され、引き続いて、新しい洗濯水の給水による少なくとも１回以上の濯ぎ行程が進行される。
【０１４０】
もちろん、洗濯水の排水後、濯ぎ行程を行う前には、ドラム１３０を高速回転させて洗濯物を脱水する一連の過程をさらに含むことが好ましい。
【０１４１】
そして、以上の実施例において、ドラムモータと一緒に循環ポンプを適切に駆動して洗濯効果を倍化させるために、スチーム噴射段階では、ドラムモータと同一の駆動条件（同一の実動率）で循環ポンプを駆動し、スチーム噴射段階が完了されると、ドラムモータと関係なしに、既に設定されたパターンで循環ポンプを駆動しながら洗濯行程を行うことが好ましい。
【０１４２】
以下、本発明の実施例に係る洗濯装置の洗濯方法の遂行中におけるドラムモータ及び循環ポンプの駆動制御と水位感知方法を説明する。
【０１４３】
図１０は、本発明に係る洗濯装置の全体行程の一例を示した動作フローチャートで、図１１は、本発明に係る洗濯装置の水位感知及び再給水制御のためのフローチャートである。
【０１４４】
そして、図１２は、本発明の実施例に係る洗濯制御時のドラムモータと循環ポンプの動作タイミング図で、図１３は、本発明の他の実施例に係る洗濯制御時のドラムモータと循環ポンプの動作タイミング図である。
【０１４５】
本発明は、スチームを供給する段階及び洗濯段階で追加給水のための水位感知の正確性を高めるために、安定的な水位感知区間を確保するものである。
【０１４６】
このために、ドラム回転のためのモータと洗濯水の循環のための循環ポンプのオン・オフ駆動が反復される段階で、循環ポンプのオフ時点とドラムモータのオフ時点とを一致させるか、循環ポンプがより速くオフになるように制御する。
【０１４７】
図１０に示すように、まず、タブ及びスチーム供給部に給水を実施し、設定水位にまで給水が行われた後、給水を中断する。
【０１４８】
そして、スチーム発生のためのヒーティング動作を進行しながら、洗剤の均一な塗布及び洗濯水の節減などのために循環ポンプを駆動し、水位感知結果によってタブ内に再給水を実施する。
【０１４９】
そして、設定温度にまでヒーティング動作が行われた後、設定時間の間洗濯を進行する。
【０１５０】
上記のような洗濯進行中にも、水位感知によるタブ内の再給水及び循環ポンプのオン・オフ駆動が反復的に行われる。
【０１５１】
そして、洗濯が設定時間の間進行された後、排水、脱水及び濯ぎ行程を進行する。
【０１５２】
本発明は、上記のような洗濯動作における洗濯水の使用量減少、消費電力の減少及び洗濯効果の上昇のために、より精密なスチーム洗濯制御方法を提供する。
【０１５３】
具体的に説明すると、図１１に示すように、電力供給が行われ（Ｓ９０１）、布量感知が進行されると（Ｓ９０２）、給水バルブをオンにしてタブ及びスチーム供給部（ＳＧ）に洗濯水を供給する（Ｓ９０３）。
【０１５４】
ここで、洗濯水の供給のために設定される基準水位は、布量感知値に基づいて区分される布量によって異なるが、洗濯水を節減するために、布量と関係なしに最小の水位に同一に設定することもできる。
【０１５５】
そして、設定水位は、最初給水時に基準となる水位値と、以後の追加給水時に基準となる水位値とが同一になるように設定するか、または、最初給水時に基準となる水位値と、以後の追加給水時に基準となる水位値とが異なるように設定する。
【０１５６】
設定水位値が異なる場合、最初給水時の水位値より追加給水時に基準となる水位値をより小さく設定し、洗濯水の節減効果を高めることが好ましい。
【０１５７】
そして、本発明は、感知された布量値を基準にして水位を異なるように設定するアルゴリズムと、布量と関係なしに、洗濯が可能な最小の水位と同一に設定するアルゴリズムの全てに適用される。
【０１５８】
次いで、水位感知の結果、目標水位に到達したと判断される場合（Ｓ９０４）、給水バルブをオフにして給水を中断する（Ｓ９０５）。
【０１５９】
そして、スチーム発生のためのヒーティングを設定温度にまで進行してスチームを供給し、ドラム内部の温度を高温にするとともに、洗濯物の布濡らし及び洗剤の均一な塗布のために、循環ポンプ及びドラムモータのオン・オフ駆動を行う（Ｓ９０６）。
【０１６０】
上記のような高温のスチームを用いて、ドラム内部の温度が、洗剤の活性化による最も効率的な洗濯性能を得られる温度になることで、洗濯効果を向上させることができるが、このとき、温度は、４０℃以上、好ましくは４０〜８０℃の温度である。
【０１６１】
上記のようなヒーティング動作、循環ポンプ及びドラムモータのオン・オフ駆動を進行しながらスチーム発生部（ＳＧ）及びタブ内の水位を感知し、追加給水が必要であるかどうかを判断するが、次のような実施例を含む。
【０１６２】
まず、図１２に示すように、洗濯ドラムを駆動するためのドラムモータの駆動時間及び循環ポンプの駆動時間を制御する。
【０１６３】
すなわち、スチーム供給部に給水する動作、循環ポンプの動作、洗濯槽内の給水、スチーム発生のためのヒーティング動作が設定条件によって反復されるスチーム洗濯動作の進行時に、より安定的な区間で水位感知が可能であり、上述した一連の動作が効率的に制御される。
【０１６４】
第一に、ドラムモータのオン時点と循環ポンプのオン時点（イ）とを一致させる。
【０１６５】
第二に、ドラムモータ及び循環ポンプのオフ時点（ロ）を一致させ、ドラムモータ及び循環ポンプのオフ区間で水位感知が行われるように制御する。
【０１６６】
そして、図１３に示すように、洗濯ドラムを駆動するためのドラムモータの駆動時間及び循環ポンプの駆動時間を制御する。
【０１６７】
第一に、ドラムモータのオン時点と循環ポンプのオン時点とを一致させる。
【０１６８】
第二に、ドラムモータのオン区間ｔ２＋オフ区間ｔ５と、循環ポンプのオン区間ｔ１＋オフ区間ｔ３とを一致させ、オフ区間で水位感知が行われるように制御するが、ドラムモータと循環ポンプが全てオフである区間ｔ５で水位感知が行われることが好ましい。
【０１６９】
ここで、安定的な水位感知のための区間を充分に確保するために、ドラムモータのオン区間ｔ２より循環ポンプのオン区間ｔ１を区間ｔ４だけ短くする。好ましくは、ドラムモータのオン区間ｔ２と循環ポンプのオン区間ｔ１の大きさを１０：８の比率にすることで、水位感知の正確性を高めることができる。
【０１７０】
上記のように、循環ポンプのオン区間ｔ１を区間ｔ４だけ短くすることで、水位感知部分での水量変化が一層安定化される。
【０１７１】
このような本発明の実施例に係る水位感知は、洗濯水の水位が変化しない区間、すなわち、ドラムモータ及び循環ポンプのオフ区間で行われるが、この場合、洗濯水がタブ内に最も多く溜まった状態になる。
【０１７２】
これは、ドラムの回転及び循環ポンプの駆動が行われる区間では洗濯水の水位変化が大きいので、安定的な水位感知が困難になって不必要な再給水が行われるが、これを抑制して洗濯水の消費量を減少させるためである。
【０１７３】
そして、水位感知は、ドラムモータ及び循環ポンプがオフになる全てのオフ区間の後半部で行われることが好ましいが、これは、水位変化が安定化される充分な時間的余裕を確保するためである。
【０１７４】
具体的に説明すると、循環ポンプ及びドラムモータのオン・オフ駆動が行われる区間での循環ポンプ及びドラムモータの駆動及び水位感知は、次のように行われる。
【０１７５】
まず、スチーム供給部（ＳＧ）によってヒーティング動作を進行しながら、循環ポンプ及びドラムモータの動作状態がオフ区間であるかどうかを判断する（Ｓ９０７）。
【０１７６】
判断結果、循環ポンプ及びドラムモータが全てオフである場合、タブ内の水位を感知し（Ｓ９０８）、そうでない場合、循環ポンプの駆動による洗濯水の循環及びドラムの回転動作を行う。
【０１７７】
そして、水位感知結果を設定水位と比較し、現在の水位が追加給水を必要とするかどうかを判断する（Ｓ９０９）。
【０１７８】
判断結果、追加給水が必要であると判断される場合、給水をし（Ｓ９１０）、そうでない場合、追加給水なしに、ドラム内の現在温度が設定温度にまで上昇したかどうかを判断する（Ｓ９１１）。
【０１７９】
判断結果、ドラム内の現在温度が設定温度にまで上昇していない場合、設定基準によって循環ポンプ及びドラムモータを駆動しながらオフ区間で水位を感知する各段階を繰り返す。
【０１８０】
そして、ドラム内の現在温度が設定温度にまで上昇していない場合、スチーム供給のためのヒーティング動作を継続的に行うが、スチーム供給部の水位を感知し、スチーム供給部に給水が必要であるかどうかを判断する（Ｓ９１３）。
【０１８１】
判断結果、スチーム供給部に給水が必要であると判断される場合、ヒーティング動作を中止して給水した後、再びヒーティング動作を継続的に行い（Ｓ９１４）、給水が必要でないと判断される場合、設定温度にまでドラム内部の温度が上昇するまで継続的にヒーティング動作を行う。
【０１８２】
そして、設定温度にまでドラム内部の温度が上昇した場合、スチーム供給部のヒータをオフにし、次の行程を進行する（Ｓ９１２）。
【０１８３】
以後に進行される行程は、スチームの供給なしに、ドラムの回転及び循環ポンプのオン・オフ駆動を通して進行される洗濯行程、濯ぎ及び脱水行程を含む。
【０１８４】
上記のように循環ポンプ及びドラムモータのオフ区間で安定的に水位を感知する本発明の実施例を、図１０ではＳＧヒーティング段階のみに適用されるものと説明したが、ヒーティング動作によるスチーム供給が完了され、設定時間の間進行される洗濯段階での水位感知にも同一の方法が適用される。
【０１８５】
以上説明したように、本発明は、洗濯装置に関するもので、少量の洗濯水消費及び低い電力消費で洗濯物の洗濯行程を行えるとともに、洗濯物の殺菌を行える新しい洗濯方法を提供する。
【０１８６】
本発明は、上述した実施例に限定されるものでなく、添付の特許請求の範囲から分かるように、本発明の属する分野で通常の知識を有する者によって変形可能であり、このような変形は本発明の範囲に属する。
【図面の簡単な説明】
【０１８７】
【図１】従来の一般的なドラム洗濯機の内部構造を説明するための側断面図である。
【図２】従来の一般的なドラム洗濯機の内部構造を説明するための正断面図である。
【図３】本発明の実施例に係る洗濯装置の内部構造を説明するための側断面図である。
【図４】本発明の実施例に係る洗濯装置の内部構造を説明するための正断面図である。
【図５】本発明の実施例に係る洗濯装置の洗濯方法を説明するためのフローチャートである。
【図６】本発明の他の実施例に係る洗濯装置の洗濯方法を説明するためのフローチャートである。
【図７】本発明の実施例に係る洗濯装置の洗濯方法を説明するための状態図である。
【図８】本発明の実施例に係る洗濯装置の洗濯方法を説明するための状態図である。
【図９】本発明の実施例に係る洗濯装置の洗濯方法を説明するための状態図である。
【図１０】本発明に係る洗濯装置の全体行程の一例を示した動作フローチャートである。
【図１１】本発明に係る洗濯装置の水位感知及び再給水制御のためのフローチャートである。
【図１２】本発明の実施例に係る洗濯制御時のドラムモータと循環ポンプの動作タイミング図である。
【図１３】本発明の他の実施例に係る洗濯制御時のドラムモータと循環ポンプの動作タイミング図である。
【図１】
2008534049.tif 000003
【図２】
2008534049.tif 000004
【図３】
2008534049.tif 000005
【図４】
2008534049.tif 000006
【図５】
2008534049.tif 000007
【図６】
2008534049.tif 000008
【図７】
2008534049.tif 000009
【図８】
2008534049.tif 000010
【図９】
2008534049.tif 000011
【図１０】
2008534049.tif 000012
【図１１】
2008534049.tif 000013
【図１２】
2008534049.tif 000014
【図１３】
2008534049.tif 000015
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
スチームと高洗剤濃度の洗濯水を用いて洗濯物を処理する段階と；
前記洗濯物を濯ぐ段階と；
前記洗濯物を高速回転乾燥する段階と；
を含むことを特徴とする、洗濯装置の制御方法。
【請求項２】
低洗剤濃度の洗濯水を用いて前記洗濯物を洗濯する段階をさらに含むことを特徴とする、請求項１に記載の洗濯装置の制御方法。
【請求項３】
前記洗濯物の処理段階は、
高洗剤濃度の洗濯水をタブの内部に給水する段階と；
前記洗濯水を用いて前記洗濯物を洗濯する段階と；
スチームを前記タブの内部に提供する段階と；
を含むことを特徴とする、請求項１に記載の洗濯装置の制御方法。
【請求項４】
前記洗濯水の給水段階は、前記タブの水位がドラムの底部側表面の周囲にある又は前記タブのヒータが浸かる予め設定された水位になるまで、洗剤ボックスを通って前記タブの内部に洗濯水を給水する段階を含むことを特徴とする、請求項３に記載の洗濯装置の制御方法。
【請求項５】
前記スチームの提供段階は、前記タブ内部の温度が設定温度になるまでスチームを提供する段階を含むことを特徴とする、請求項３に記載の洗濯装置の制御方法。
【請求項６】
前記スチームの提供段階は、前記洗濯物の洗濯段階の後に、前記温度が前記洗濯物を殺菌するのに適した設定温度になるまでスチームを提供する段階を含むことを特徴とする、請求項５に記載の洗濯装置の制御方法。
【請求項７】
前記設定温度は、４０〜８０℃の温度であることを特徴とする、請求項６に記載の洗濯装置の制御方法。
【請求項８】
前記スチームの提供段階は、前記洗濯物の洗濯段階の際に、前記温度が洗剤の強力な活性化に適した設定温度になるまでスチームを提供する段階を含むことを特徴とする、請求項６に記載の洗濯装置の制御方法。
【請求項９】
前記設定温度は、４０〜６０℃の温度であることを特徴とする、請求項６に記載の洗濯装置の制御方法。
【請求項１０】
前記スチームの提供段階はさらに、設定時間の間スチームを追加提供する段階を含むことを特徴とする、請求項９に記載の洗濯装置の制御方法。
【請求項１１】
前記スチームの追加提供段階は、時間間隔を伴ってスチームを繰り返して提供する段階を含むことを特徴とする、請求項９に記載の洗濯装置の制御方法。
【請求項１２】
前記洗濯水の給水段階はさらに、循環ポンプを用いることにより前記洗濯水を前記タブに循環させる段階と、前記水位が前記ドラムの底部側の表面の周囲に再給水されるまで洗濯水を前記タブ内部に再給水する段階を含むことを特徴とする、請求項４に記載の洗濯装置の制御方法。
【請求項１３】
前記洗濯物の洗濯段階は、前記高洗剤濃度の洗濯水が残る前記タブ内部に洗濯水を給水する段階を含むことを特徴とする、請求項２に記載の洗濯装置の制御方法。
【請求項１４】
前記洗濯水の給水段階は、前記タブの内部の水位が予め設定された水位になるまで実行されることを特徴とする、請求項１３に記載の洗濯装置の制御方法。
【請求項１５】
前記予め設定された水位は、洗濯物の布量によって設定されることを特徴とする、請求項１４に記載の洗濯装置の洗濯方法。
【請求項１６】
前記洗濯物の洗濯段階はさらに、洗濯水用ヒータ又はスチーム用ヒータを作動する段階を含み、前記洗濯水用ヒータは前記タブに取り付けられ、前記タブ内部の洗濯水を加熱し、また前記スチーム用ヒータはスチームを生成し前記タブ内部に提供するよう取り付けられることを特徴とする、請求項１３に記載の洗濯装置の制御方法。
【請求項１７】
前記ヒータの作動段階は、前記タブ内部の温度が４０℃以上になるまで前記ヒータを作動する段階を含むことを特徴とする、請求項１６に記載の洗濯装置の制御方法。
【請求項１８】
前記洗濯水の給水段階はさらに、前記ドラム駆動のためのモータがオフ駆動される間、前記タブの水位を感知する段階を含むことを特徴とする、請求項４に記載の洗濯装置の制御方法。
【請求項１９】
前記洗濯水の給水段階はさらに、前記ドラム駆動のためのモータと循環ポンプがオフ駆動される間、前記タブの水位を感知する段階を含むことを特徴とする、請求項１２に記載の洗濯装置の制御方法。
【請求項２０】
前記洗濯水の給水段階はさらに、前記ドラム駆動のためのモータと循環ポンプがオフ駆動される間、前記タブの水位を感知する段階を含むことを特徴とする、請求項１４に記載の洗濯装置の制御方法。
【請求項２１】
前記洗濯物の洗濯段階は；
時間間隔を伴って繰り返してモータをオン・オフ駆動する段階であって、前記モータはドラムを回転させるよう設定される、段階と；
時間間隔を伴って繰り返して循環ポンプをオン・オフ駆動する段階であって、前記ポンプは洗濯水を前記タブに循環させるよう設定される、段階と；
を含むことを特徴とする、請求項３に記載の洗濯装置の制御方法。
【請求項２２】
前記モータをオン駆動する段階の時点を、前記循環ポンプをオン駆動する段階の時点に一致させることを特徴とする、請求項２１に記載の洗濯装置の制御方法。
【請求項２３】
前記モータをオフ駆動する段階の時点を、前記循環ポンプをオフ駆動する段階の時点に一致させることを特徴とする、請求項２１に記載の洗濯装置の制御方法。
【請求項２４】
前記モータのオフ時間に対するオン時間の比率を、前記循環ポンプのオフ時間に対するオン時間の比率に一致させることを特徴とする、請求項２１に記載の洗濯装置の制御方法。
【国際調査報告】
2008534049.tif 000016
2008534049.tif 000017